(57)【要約】【課題】紙類ごみ、生ごみなどの有機性廃棄物を効率的且つ経済的に資源化することが可能な有機性廃棄物の資源化方法を提供する。【解決手段】紙類ごみ（有機性廃棄物）を還元性雰囲気で加熱してガス化するバイオマスガス化装置と、生ごみ（有機性廃棄物）を乾式メタン発酵によってガス化する乾式メタン発酵装置とを用い、バイオマスガス化装置と乾式メタン発酵装置によってそれぞれ紙類ごみと生ごみをガス化してバイオガスを生成する。これとともに、乾式メタン発酵装置でバイオガスを生成した後の発酵残渣を乾燥してバイオマスガス化装置に投入し、このバイオマスガス化装置で発酵残渣をガス化してバイオガスを生成する。また、紙類ごみと発酵残渣をガス化するバイオマスガス化装置の排熱及び／又はバイオガスを利用して生じた排熱を用いて、発酵残渣を乾燥させる。【選択図】図１
2010104943.tif 000002
【特許請求の範囲】
【請求項１】
有機性廃棄物を資源化する方法であって、
前記有機性廃棄物を還元性雰囲気で加熱してガス化するバイオマスガス化装置と、前記有機性廃棄物を乾式メタン発酵によってガス化する乾式メタン発酵装置とを用い、前記バイオマスガス化装置と前記乾式メタン発酵装置によってそれぞれ前記有機性廃棄物をガス化してバイオガスを生成するとともに、
前記乾式メタン発酵装置でバイオガスを生成した後の発酵残渣を乾燥して前記バイオマスガス化装置に投入し、該バイオマスガス化装置で前記発酵残渣をガス化してバイオガスを生成するようにしたことを特徴とする有機性廃棄物の資源化方法。
【請求項２】
請求項１記載の有機性廃棄物の資源化方法において、
前記有機性廃棄物と前記発酵残渣をガス化する前記バイオマスガス化装置の排熱及び／又は前記バイオガスを利用して生じた排熱を用いて、前記発酵残渣を乾燥するようにしたことを特徴とする有機性廃棄物の資源化方法。
【発明の詳細な説明】
【技術分野】
【０００１】
本発明は、有機性廃棄物をガス化してバイオガスを生成する有機性廃棄物の資源化方法に関する。
【背景技術】
【０００２】
例えば建物、再開発街区等では、新聞、ダンボール、ＯＡ用紙などの紙類ごみと、生ごみが主要ごみとして排出される。このうち、紙類ごみは、リサイクル化が進められており、リサイクル以外の資源化の割合が非常に少なくなっている。
【０００３】
また、生ごみにおいては、メタン発酵技術を適用して発電、冷暖房等に利用可能なバイオガスを生成し、資源化することが提案、実用化されている（例えば、特許文献１参照）。そして、メタン発酵技術を適用して生ごみを資源化する際には、移送、撹拌等の操作を容易にするために生ごみを水等で希釈し、液状の生ごみ（原料）に種汚泥を加えて発酵させる湿式メタン発酵が多用されている。
【特許文献１】特開２００７−３２５５６４号公報
【発明の開示】
【発明が解決しようとする課題】
【０００４】
しかしながら、紙類ごみをリサイクルする際には、静岡県、愛媛県などの製紙工場に運搬して再利用することが多く、製紙工場から離れた都市部などの紙類ごみを製紙工場に運搬することで二酸化炭素の排出量が多くなるという問題があった。また、近年、中国への古紙の輸出量が増大しているが、やはり運搬時に多くの二酸化炭素が排出される。
【０００５】
一方、生ごみを湿式メタン発酵で発酵させてバイオガスを生成する場合には、バイオガスを生成した後の発酵液（発酵残渣）を処理することが必要になり、この発酵液の処理が著しく経済性を悪化させるという問題があった。このため、生ごみからバイオガスを生成する生ごみの資源化は、一般に広く普及するに至っていない。
【０００６】
本発明は、上記事情に鑑み、紙類ごみ、生ごみなどの有機性廃棄物を効率的且つ経済的に資源化することが可能な有機性廃棄物の資源化方法を提供することを目的とする。
【課題を解決するための手段】
【０００７】
上記の目的を達するために、この発明は以下の手段を提供している。
【０００８】
本発明の有機性廃棄物の資源化方法は、有機性廃棄物を資源化する方法であって、前記有機性廃棄物を還元性雰囲気で加熱してガス化するバイオマスガス化装置と、前記有機性廃棄物を乾式メタン発酵によってガス化する乾式メタン発酵装置とを用い、前記バイオマスガス化装置と前記乾式メタン発酵装置によってそれぞれ前記有機性廃棄物をガス化してバイオガスを生成するとともに、前記乾式メタン発酵装置でバイオガスを生成した後の発酵残渣を乾燥して前記バイオマスガス化装置に投入し、該バイオマスガス化装置で前記発酵残渣をガス化してバイオガスを生成するようにしたことを特徴とする。
【０００９】
この発明においては、例えば建物や再開発街区等で主要ごみとして排出される紙類ごみ（有機性廃棄物）をバイオマスガス化装置でガス化し、同じく主要ごみとして排出される生ごみ（有機性廃棄物）を乾式メタン発酵装置でガス化することにより、建物や再開発街区等で排出される主要ごみの紙類ごみと生ごみからバイオガスを生成することが可能になる。また、生成したバイオガスを建物や再開発街区内の発電や冷暖房等に利用することが可能になる。
【００１０】
そして、このとき、乾式メタン発酵装置を用いることで水分含有量の少ない発酵残渣が発生することになり、少ないエネルギー投入量で発酵残渣を乾燥させることが可能になる。このため、発酵残渣をバイオマスガス化装置に投入してバイオガスを生成することが可能になり、発酵残渣をバイオマスガス化装置で再資源化することが可能になる。また、このように発酵残渣を再資源化することで、建物や再開発街区等から最終的に排出される廃棄物を大幅に減容化することが可能になる。
【００１１】
また、本発明の有機性廃棄物の資源化方法においては、前記有機性廃棄物と前記発酵残渣をガス化する前記バイオマスガス化装置の排熱及び／又は前記バイオガスを利用して生じた排熱を用いて、前記発酵残渣を乾燥することが望ましい。
【００１２】
この発明においては、バイオマスガス化装置の排熱や、生成したバイオガスを発電、冷暖房などに利用して発生した排熱を用いて発酵残渣を乾燥させることにより、発酵残渣の乾燥処理を効率的且つ経済的に行うことが可能になる。
【発明の効果】
【００１３】
本発明の有機性廃棄物の資源化方法においては、例えば建物や再開発街区等で主要ごみとして排出される紙類ごみと生ごみ（有機性廃棄物）をバイオマスガス化装置と乾式メタン発酵装置でそれぞれガス化してバイオガスを生成することが可能になるとともに、生成したバイオガスを建物や再開発街区内の発電や冷暖房等に利用することが可能になる。
【００１４】
また、乾式メタン発酵装置を用いることで発酵残渣をバイオマスガス化装置に投入してバイオガスを生成することが可能になり、発酵残渣をバイオマスガス化装置で再資源化することが可能になるとともに、建物や再開発街区等から最終的に排出される廃棄物を大幅に減容化することが可能になる。
【００１５】
よって、本発明の有機性廃棄物の資源化方法によれば、建物や再開発街区等の主要ごみである紙類ごみや生ごみを原位置で資源化し、従来のように紙類ごみを遠方の製紙工場に運搬する必要がなく、二酸化炭素の排出量を減らすことができ、さらに、生成したバイオガスを原位置で利用する効率的且つ経済的で合理的な地産地消システムを構築することが可能になる。
【発明を実施するための最良の形態】
【００１６】
以下、図１を参照し、本発明の一実施形態に係る有機性廃棄物の資源化方法について説明する。本実施形態は、建物や再開発街区等から排出される主要ごみの紙類ごみや生ごみ（有機性廃棄物）を効率的且つ経済的に資源化する方法に関するものである。
【００１７】
本実施形態の有機性廃棄物の資源化方法においては、図１に示すように、紙類ごみを水蒸気を供給して還元性雰囲気で加熱することによってガス化するバイオマスガス化装置と、生ごみを乾式メタン発酵によってガス化する乾式メタン発酵装置と、乾式メタン発酵装置でバイオガスを生成した後の発酵残渣を乾燥させるための乾燥装置を用いる。
【００１８】
そして、本実施形態の有機性廃棄物の資源化方法では、建物や再開発街区等から従来のごみ収集システムで収集した主要ごみの紙類ごみや生ごみを、紙類ごみは裁断等によって、生ごみは分別破砕等によってそれぞれ必要に応じて前処理する。
【００１９】
ついで、前処理した紙類ごみは、バイオマスガス化装置（ガス化装置）の原料としてこのバイオマスガス化装置のガス化反応炉に投入し、水蒸気を供給して例えば８００℃〜１０００℃の高温で且つ還元性雰囲気（酸素不足雰囲気）で加熱して順次ガス化する。これにより、紙類ごみを資源化してバイオガスが生成され、生成したバイオガスが建物や再開発街区等の発電、冷暖房等に利用される。
【００２０】
一方、前処理した生ごみは、乾式メタン発酵装置の原料とされ、この乾式メタン発酵装置の発酵槽に種汚泥とともに投入されて、乾式メタン発酵によって順次ガス化される。これにより、生ごみからバイオガスが生成され、生成したバイオガスが都市部や再開発街区等の発電、冷暖房などに利用される。ここで、本実施形態の有機性廃棄物の資源化方法では、乾式メタン発酵によって生ごみをガス化するため、湿式メタン発酵のように水等を添加する必要がなく（あるいは水等の添加量が少なく）、水分含有量が少ない状態で発酵が進み、バイオガスが生成される。また、生ごみとともに紙類ごみを混合した原料を投入し、乾式メタン発酵装置でガス化してもよく、この場合には、より多くのバイオガスを生成することが可能であるとともに、水分含有量をさらに低減する（固形分濃度を高める）ことが可能になる。
【００２１】
このように乾式メタン発酵装置によって生ごみを発酵させることにより、バイオガスを生成した後に、水分含有量の少ない発酵残渣が発生することになる。そして、本実施形態では、この発酵残渣を乾燥装置で乾燥させる。このとき、バイオマスガス化装置でガス化することが可能な所定の水分含有量以下となるように発酵残渣を乾燥させ、乾燥処理した発酵残渣をバイオマスガス化装置に投入してガス化する。これにより、乾式メタン発酵装置に残った発酵残渣からバイオガスが生成され、この発酵残渣がバイオマスガス化装置で再資源化される。また、このように発酵残渣を再資源化することで、建物や再開発街区等から最終的に排出される廃棄物は、バイオマスガス化装置で発生する燃焼殻だけとなり、大幅に減容化される。
【００２２】
一方、本実施形態においては、乾式メタン発酵装置でバイオガスを生成した後の発酵残渣を乾燥装置で乾燥させる際に、バイオマスガス化装置の排熱を利用して発酵残渣を乾燥させる。また、バイオマスガス化装置の排熱だけでは熱量が不足する場合には、生成したバイオガスを発電、冷暖房等に利用することで発生する排熱を利用して発酵残渣を乾燥させる。これにより、発酵残渣の乾燥処理が効率的且つ経済的に行える。
【００２３】
そして、従来の湿式メタン発酵で生ごみを資源化する場合には、発酵残渣（発酵液）の処理が著しく経済性を悪化させるのに対し、本実施形態のように乾式メタン発酵で生ごみからバイオガスを生成し、発酵残渣を再資源化し、さらに排熱を利用して発酵残渣の乾燥処理を行うことで、効率的且つ経済的に生ごみの資源化が図られる。
【００２４】
したがって、本実施形態の有機性廃棄物の資源化方法においては、建物や再開発街区等で主要ごみとして排出される紙類ごみをバイオマスガス化装置でガス化し、同じく主要ごみとして排出される生ごみを乾式メタン発酵装置でガス化することにより、建物や再開発街区等で排出される主要ごみの紙類ごみと生ごみからバイオガスを生成することが可能になる。また、生成したバイオガスを建物や再開発街区内の発電や冷暖房等に利用することが可能になる。
【００２５】
そして、このとき、乾式メタン発酵装置を用いることで水分含有量の少ない発酵残渣が発生することになり、少ないエネルギー投入量で発酵残渣を乾燥させることが可能になる。このため、発酵残渣をバイオマスガス化装置に投入してバイオガスを生成することが可能になり、発酵残渣をバイオマスガス化装置で再資源化することが可能になる。また、このように発酵残渣を再資源化することで、建物や再開発街区等から最終的に排出される廃棄物を大幅に減容化することが可能になる。
【００２６】
また、バイオマスガス化装置の排熱や、生成したバイオガスを発電、冷暖房などに利用して発生した排熱を用いて発酵残渣を乾燥させることにより、発酵残渣の乾燥処理を効率的且つ経済的に行うことが可能になる。
【００２７】
よって、本実施形態の有機性廃棄物の資源化方法によれば、建物や再開発街区等の主要ごみである紙類ごみや生ごみを原位置で資源化し、従来のように紙類ごみを遠方の製紙工場に運搬する必要がなく、二酸化炭素の排出量を減らすことができ、さらに、生成したバイオガスを原位置で利用する効率的且つ経済的で合理的な地産地消システムを構築することが可能になる。
【００２８】
以上、本発明に係る有機性廃棄物の資源化方法の一実施形態について説明したが、本発明は上記の一実施形態に限定されるものではなく、その趣旨を逸脱しない範囲で適宜変更可能である。例えば、本実施形態では、有機性廃棄物が建物や再開発街区等から排出される主要ごみの紙類ごみ、生ごみであるものとしたが、必ずしも有機性廃棄物を紙類ごみ、生ごみに限定しなくてもよく、他の有機性廃棄物を資源化するために本発明を適用してもよい。
【００２９】
また、本実施形態では、乾式メタン発酵装置でバイオガスを生成した後の発酵残渣を乾燥処理する際に、バイオマスガス化装置の排熱や、バイオガスを利用して発生した排熱を用いるものとしたが、乾式メタン発酵で発生する発酵残渣は、水分含有量が少なく、乾燥処理するためのエネルギー投入量が少なくて済むため、必ずしも排熱を用いて乾燥させることに限定しなくてもよい。
【図面の簡単な説明】
【００３０】
【図１】本発明の一実施形態に係る有機性廃棄物の資源化方法を示すフロー図である。
【図１】
2010104943.tif 000003